(57)【特許請求の範囲】
【請求項１】
開口部に配置される窓枠と、ガラス等のパネル体が取り付けられて窓枠に固定される下枠補助材と、下枠補助材のパネル体取付溝内に侵入した水を室外へ排水する排水部材とを備え、
下枠補助材は、その室外側から垂下する室外側垂下部を備えると共に、下枠補助材の底壁には排水孔が設けられており、
排水部材は、排水孔の室内側の縁部に係止する上方係止部と、上方係止部から室外側下方に向けて傾斜状に延設される導水部と、導水部の下部を室外側垂下部に係止する下方係止部とを有する
ことを特徴とする建具。
【発明の詳細な説明】
【技術分野】
【０００１】
建物開口部に設けられた窓枠に対して固定して配置される固定障子を備える建具に関する。
【背景技術】
【０００２】
従来、外動片引き窓、内動片引き窓、嵌め殺し窓等窓枠に対してパネルを固定した窓は周知であり、そのような窓において、固定障子のパネル取付溝内に侵入した水を室外側に排水するための排水部材を取り付けた固定障子が公知となっている（特許文献１）。
【先行技術文献】
【特許文献】
【０００３】
【特許文献１】特開２００７−２８４９８２号
【発明の概要】
【発明が解決しようとする課題】
【０００４】
上記先行技術文献の建具においては、排水部材がパネル取付溝内に内周側から取り付けられており、パネル取付溝内の水を直接排水することができる。しかしながら、排水部材をパネル取付溝内に直接取り付けるには、パネル取付溝を開放してその内周側より取り付ける必要があり、建具の施工後には排水部材を障子の外周側から取り外すことができず、清掃やメンテナンス等が困難であった。
また、パネル取付溝内の排水孔の周縁に排水部材のフランジを載置するように取り付けているために、パネル取付溝内の水が排水されるには、フランジを超えて排水孔に導入される必要がありスムーズな排水が行われず、フランジ下面と排水孔周縁との間に水が浸入し、その結果、枠体の室内側に排水される可能性があった。
【０００５】
本発明は、上記の事情を鑑みたものであり、パネル取付溝内の水がパネル取付溝内に留まることなく、確実に室外側に排水することができるとともに、建具の施工後においても排水部分のメンテナンスや清掃を可能とする建具を提供することを目的とする。
【課題を解決するための手段】
【０００６】
本発明は、開口部に配置される窓枠と、ガラス等のパネル体が取り付けられて窓枠に固定される下枠補助材と、下枠補助材のパネル体取付溝内に侵入した水を室外へ排水する排水部材とを備え、下枠補助材は、その室外側から垂下する室外側垂下部を備えると共に、下枠補助材の底壁には排水孔が設けられており、排水部材は、排水孔の室内側の縁部に係止する上方係止部と、上方係止部から室外側下方に向けて傾斜状に延設される導水部と、導水部の下部を室外側垂下部に係止する下方係止部とを有することを特徴とする。
【発明の効果】
【０００７】
パネル取付溝内の水を排水するために排水部材を固定障子に対して簡単に取り付けることができるとともに、パネル取付溝内に侵入した水を留まらせることなく、室外側に確実に排水することができる。
【図面の簡単な説明】
【０００８】
【図１】本発明の実施形態に係る外動片引き窓の外観図である。
【図２】本発明の実施形態に係る外動片引き窓の内障子載置部分における下枠近傍の縦断面図である。
【図３】本発明の実施形態に係る外動片引き窓の内障子の下框（下枠補助材）の図であり、（ａ）は平面図、（ｂ）は、縦断面図である。
【図４】本発明の実施形態に係る外動片引き窓の内障子の下框（下枠補助材）の図であり、（ａ）は排水状態における縦断面図、（ｂ）は、底面図である。
【図５】本発明の実施形態に係る外動片引き窓に採用される排水部材の図であり、（ａ）は上方から見た斜視図、（ｂ）は、下方から見た斜視図である。
【図６】本発明の実施形態に係る外動片引き窓に採用される排水部材の縦断面図である。
【図７】本発明の実施形態に係る外動片引き窓に採用される排水部材を下框（下枠補助材）に取付ける取付方法を説明するための図であり、（ａ）は、取付途中の縦断面図であり、（ｂ）は、取付完了後の縦断面図である。
【図８】本発明の実施形態に係る外動片引き窓の排水を説明するための図であり、（ａ）は、縦断面図、（ｂ）は、下框（下枠補助材）の本体部の底面を上から見た（図８ａのｚ方向から見た）平面図である。
【発明を実施するための形態】
【０００９】
（ＦＩＸ窓の下枠及び下框の構成）
図面を参照しながら、本発明の実施形態に係る建具を説明する。
本発明の実施形態に係る建具は、図１に示されるように、上枠１１，下枠１２及び左右の縦枠１３，１４を四周に組んでなり、建物開口部に固定してなる窓枠１に対して、上框２１，下框２２及び左右の縦框２３，２４を四周に組んで内周にガラス等パネルを装着してなる内障子２を図示しない固定手段により窓枠１の開口右側に固定して配置すると共に、同じく上框３１，下框３２及び左右の縦框３３，３４（図示はない。）を四周に組んで内周にガラス等パネルを装着してなる外障子３を窓枠１に設けた室外側レールに沿って開閉自在に配置してなる外動片引き窓として構成されている。
【００１０】
図２に示すように、窓枠１を構成する下枠１２は、室内側から室外側に向かって下方に傾斜する傾斜部を備える下枠本体部１２１と、下枠本体部１２１の室内側端に連続する室内壁部１２２とから構成されており、下枠本体部１２１の上面には室内側レール１２１ａ及び室外側レール１２１ｂが突設して形成されている。室内壁部１２２の上端室外側面には気密材取付部１２２ａが形成されており、また、室内側レール１２１ａの下方位置から室外側に向かって突出するように気密材取付片１２１ｃが形成されている。
【００１１】
内障子２を構成する下框２２は、窓枠１の開口右側にガラス等パネルを取付固定するための下枠補助材として機能するものであり、図２乃至４に示すように、中空形状をなす下框本体部２２１と、下框本体部２２１の内周に形成されるパネル取付溝２２２とから構成されている。
下框本体部２２１の室外側面は下方に垂下してその下端に室内側に屈曲してなる水平部分を有する室外側垂下壁２２１ａが形成されるとともに、下框本体部２２１の室内側下面より下框２２の全長に亘って室内側垂下壁２２１ｂが垂下され、窓枠１に対して内障子２を移動不能に固定した際に、室外側垂下壁２２１ａと室内側垂下壁２２１ｂが下枠１２の室内側レール１２１ａの見込み方向両側に配置されることによって、下枠１２と下框２２との間から水等が直線的に侵入することを防止している。
【００１２】
下框本体部２２１の室内側下面の室内側垂下壁２２１ｂの室内側には、支持壁２２１ｃが垂下されており、支持壁２２１ｃは下枠１２の室内壁部１２２の気密材取付部１２２ａの上面により支持されている。
そして、パネル取付溝２２２にセッティングブロックを介してガラス等パネル材が配置されている。
【００１３】
（排水構造）
上記本発明の実施形態に係る建具においては、内障子２の下框２２のパネル取付溝２２２に侵入した結露水等の水を室外側に排水するための排水構造を備えている。
以下、本発明の建具の排水構造について、説明する。
ガラス等パネルを取付ける下枠補助材としての機能を有する下框２２には、図３に示すように、そのパネル取付溝２２２の底面に下框本体部２２１の中空部に至る貫通孔２２２ａが形成されている。貫通孔２２２ａは、パネル取付溝２２２の底面の室外側よりに下框２２の長さ（左右見付け）方向に沿って複数箇所に形成されており、パネル取付溝２２２に進入した結露水等をすみやかに下框本体部２２１の中空部内に導くことができる。
【００１４】
中空部内に導かれた水を下框２２の外部に排出するために、下框本体部２２１の底壁部分に排水孔２２１ｄが形成されている。排水孔２２１ｄは下框本体部２２１の下方に延設される室外側垂下壁２２１ａと室内側垂下壁２２１ｂとの間の底壁部分に設けられており、下框２２の長さ（左右見付け）方向に沿って複数箇所に形成され、その位置はパネル取付溝２２２の底面に形成された貫通孔２２２ａの位置と略一致している。
したがって、パネル取付溝２２２に進入し、パネル取付溝２２２の貫通孔２２２ａを通って下框本体部２２１の中空部に落下した結露水等は、そのまま排水孔２２１ｄから下框２２の外部へと排水される。
【００１５】
下框（下枠補助材）２２の排水孔２２１ｄには、下框２２の外部へと排水された水を下枠１２の室内側レール１２１ａの室外側に導くための排水部材５が取付けられている。
以下、排水部材５について、図面を参考にして説明する。
排水部材５は、図５、６に示すように、一方側から他方側に向けて上面が下方に傾斜して水等を他方側へ導く導水部５１と、導水部５１の一方側上端部に形成される上方係止部５２と、導水部５１の他方側下端部に形成される下方係止部５３とから構成されている。
【００１６】
導水部５１は、その上方部位を構成し傾斜が比較的緩やかな上方導水部５１１と上方導水部５１１の下方に連続し傾斜が上方導水部５１１に比べて急である下方導水部５１２とから構成され、下方導水部５１２の下方中央位置には切欠部５１２ａが形成されている。下方導水部５１２の切欠部５１２ａの両側下端は、他方側に水平に突出するように屈曲されて水平片５３１，５３１が形成されており、水平片５３１よりやや上方位置に形成されたリブ片５３２とによって、下方係止部５３が形成されている。
【００１７】
上方導水部５１１の上端部に沿って肉厚のフランジ部５２１が形成されており、フランジ部５２１の一方側の下面は切除されて載置部５２１ａが形成されているとともに、フランジ部５２１の両側には壁部５２１ｂ、５２１ｃが形成されている。また、上方導水部５１１の下面には、室内方向に略水平に突出する２つの係止爪５１１ａが形成され、フランジ部５２１と係止爪５１１ａとによって上方係止部５２が形成されている。
【００１８】
以上のように形成された排水部材５は、下框（下枠補助材）２２に対して下方から取付固定することができる。まず、図７（ａ）に示すように、下框（下枠補助材）２２下面の室外側垂下壁２２１ａと室内側垂下壁２２１ｂとの間に排水部材５を下方より挿入し、上方係止部５２を下框（下枠補助材）２２の底壁に形成された排水孔２２１ｄの室内側の縁部に係止する。具体的には、上方係止部５２の載置部５２１ａと係止爪５１１ａとによって排水孔２２１ｄの室内側の縁を挟み込む。その状態で上方係止部５２を中心にして排水部材５の下方係止部５３が上方に且つ室外側に向かうように回動させて下框本体部２２１の室外側垂下壁２２１ａの下端に下方係止部５３を係合させる、具体的には、水平片５３１とリブ片５３２とによって室外側垂下壁２２１ａの下端に形成された水平部分を挟み込むことによって、下框本体部２２１の排水孔２２１ｄの下方に導水部５１が臨むように排水部材５を取り付けることができる。
その後、排水部材５が取り付けられた下框（下枠補助材）２２を図示しない固定手段によって下枠１２に固定することにより、窓枠１に対して内障子２を固定して取付けることができる。
【００１９】
排水部材５が取り付けられた下框（下枠補助材）２２において、そのパネル取付溝２２２に結露水等の水が浸入しても、浸入した水は、図８の矢印Ｘで示すように、パネル取付溝２２２の底面に形成された貫通孔２２２ａを落下して、さらに、下框本体部２２１の底壁に形成された排水孔２２１ｄを通って排水部材５の導水部５１に至る。
このとき、排水部材５の上方係止部５２を構成するフランジ部５２１が排水孔２２１ｄの室内側に配置されて排水孔２２１ｄの室外側には排水部材５の部位が存在しないので、貫通孔２２２ａから落下したり下框本体部２２１の壁面を伝わって落下してきた結露水等は、排水孔２２１ｄの屋外側から排水孔２２１ｄにスムーズに導かれて排水することができる。
そして、排水部材５の導水部５１の下方部位に切欠部５１２ａが形成されているので、導水部５１の上面を伝わった水は排水部材５の下端に至るまでにほとんどが室内側案内レールの室外側に排水され、排水部材５の下端部位において水が滞留せず、滞留する水が室内側へ吹き込むことを防止することができる。
【００２０】
以上のように、本発明の実施形態に係る建具は、窓枠に対してガラス等パネル体を支持する下枠補助材に形成された排水孔に対して排水部材を下方より取り付けることができるので、施工性やメンテナンス性に優れた排水構造を簡単に設けることができる。
また、排水部材は、その導水部に切欠部が形成され、切欠部より案内レールの室外側に水を落下して排水しているので、排水部材の下端で水が滞留することがなく、水の吹き込みを防止できるとともに、衛生的にも優れている。
【００２１】
さらに、本発明の実施形態に係る建具の排水部材によれば、排水に際して特に下枠補助材の壁面等を利用することなく、水を排水孔から落下させることで排水しているので、排水孔の設置位置は特に制約を受けることなく、適宜位置に排水孔を設けることができるし、また、下枠補助材、即ち建具の見込み方向の幅に影響されることなく排水部材を取り付けることができ、部品管理の点においても簡単である。
【符号の説明】
【００２２】
１        ：窓枠
１１      ：上枠
１２      ：下枠
１２１    ：下枠本体部
１２１ａ  ：室内側レール
１２１ｂ  ：室外側レール
１２１ｃ  ：気密材取付片
１２２    ：室内側壁
１２２ａ  ：気密材取付部
１３      ：縦枠
１４      ：縦枠
２        ：内障子
２１      ：上框
２２      ：下框（下枠補助材）
２２１    ：下框本体部
２２１ａ  ：室外側垂下壁（室外側垂下部）
２２１ｂ  ：室内側垂下壁
２２１ｃ  ：支持壁
２２１ｄ  ：排水孔
２２２    ：パネル取付溝
２２２ａ  ：貫通孔
２３      ：縦框
２４      ：縦框
３        ：外障子
３１      ：上框
３２      ：下框
３３      ：縦框
３４      ：縦框
５        ：排水部材
５１      ：導水部
５１１    ：上方導水部
５１１ａ  ：係止爪
５１２    ：下方導水部
５１２ａ  ：切欠部
５２      ：上方係止部
５２１    ：フランジ部
５２１ａ  ：載置部
５２１ｂ  ：壁部
５２１ｃ  ：壁部
５３      ：下方係止部
５３１    ：水平片
５３２    ：リブ片
Ｘ        ：矢印
【図１】
0006452567.tif 000002
【図２】
0006452567.tif 000003
【図３】
0006452567.tif 000004
【図４】
0006452567.tif 000005
【図５】
0006452567.tif 000006
【図６】
0006452567.tif 000007
【図７】
0006452567.tif 000008
【図８】
0006452567.tif 000009